(57)【特許請求の範囲】
【請求項１】
装置であって、
命令を有する１以上のコンピュータ可読媒体と；
前記１以上のコンピュータ可読媒体と結合された１以上のプロセッサであり、
前記１以上のプロセッサは、
前記命令を実行してインターワーキング機能（ＩＷＦ）を実装し、
マシンタイプ通信（ＭＴＣ）サーバから、無線通信ネットワーク上での第１のデータペイロードの送信をトリガーするためのトリガー要求を受信し、該第１のデータペイロードは、ユーザ装置（ＵＥ）から前記ＭＴＣサーバへの上りリンク伝送のための第１のデータペイロードであり、該第１のデータペイロードは事前設定された閾値よりも小さく、前記ＵＥは、前記無線通信ネットワークと無線で通信するように適合され、
該装置が前記トリガー要求を処理することができるとき、且つ、前記トリガー要求に応答して、モビリティ管理エンティティ（ＭＭＥ）またはサービング一般的パケット無線サービスサポートノード（ＳＧＳＮ）を含むノードへの参照ポイント上でトリガー通知を送信し、該トリガー通知は、無線通信ネットワーク上での前記第１のデータペイロードの送信をトリガーし、前記トリガー通知は、前記ＭＴＣサーバから前記ＵＥへの下りリンク伝送のための第２のデータペイロードを含み、前記第２のデータペイロードは、前記事前設定された閾値よりも小さい、
該装置が前記トリガー要求を処理することができないとき、該装置が前記トリガー要求を処理することができなかったことを示すトリガーＡｃｋ（acknowledgement）を前記ＭＴＣサーバに送信する、１以上のプロセッサと；
を備える装置。
【請求項２】
請求項１に記載の装置であって、
前記ノードは第１のノードであり、
前記参照ポイントは第１の参照ポイントであり、
前記ＩＷＦはさらに、前記トリガー要求の受信に応答して、ホームロケーションレジスタ（ＨＬＲ）を含む第２のノードと第２の参照ポイント上で通信し、前記第１の参照ポイント上で前記トリガー通知をユーザ装置（ＵＥ）に送信するためのルーティング情報を取得する、
装置。
【請求項３】
請求項１乃至２のいずれか１項に記載の装置であって、
前記参照ポイントは前記ＩＷＦで終端する第１の参照ポイントであり、
前記ＩＷＦは、マシンタイプ通信インターワーキング機能（ＭＴＣ−ＩＷＦ）を含み、該ＭＴＣ−ＩＷＦは、前記ＭＴＣサーバから該ＭＴＣ−ＩＷＦへの第３の参照ポイントを終端し、
前記ＭＴＣ−ＩＷＦは、前記トリガー要求を前記第３の参照ポイント上で受信する、
装置。
【請求項４】
請求項１乃至２のいずれか１項に記載の装置であって、前記ＩＷＦは、前記ＩＷＦが前記ＩＷＦにおける過負荷のために前記トリガー要求を処理することができないときに、前記ＭＴＣサーバに前記トリガーＡｃｋを送信する、装置。
【請求項５】
請求項１乃至２のいずれか１項に記載の装置であって、前記ＩＷＦはさらに、
トリガー報告を前記ＭＭＥまたは前記ＳＧＳＮを含む前記ノードから受信し、該トリガー報告は前記トリガー通知の成功または失敗を示し、また、前記ＵＥにおいて前記トリガー要求を受け入れるか否かを示し、
前記トリガー報告を前記ＭＴＣサーバに転送する、
装置。
【請求項６】
請求項５に記載の装置であって、前記トリガー報告は前記第１のデータペイロードを含む、装置。
【請求項７】
請求項１乃至２のいずれか１項に記載の装置であって、
前記トリガー通知はＧＰＲＳ（一般的パケット無線サービス）トンネリングプロトコル（ＧＴＰ）メッセージまたはＭＴＣアプリケーションプロトコル（ＭＴＣ−ＡＰ）メッセージであり、
前記トリガー要求はＭＴＣ−ＡＰメッセージである、
装置。
【請求項８】
請求項１乃至２のいずれか１項に記載の装置であって、前記トリガー通知は、理由、ユーザ装置（ＵＥ）ＩＤ、有効期間、優先度、一般的データコンテナ、またはプライベート拡張を提供する１以上の情報要素を含む、装置。
【請求項９】
請求項１乃至２のいずれか１項に記載の装置であって、
前記無線通信ネットワークは、無線通信ネットワークは、モバイル通信のためのグローバルシステム（ＧＳＭ）、一般的パケット無線サービス（ＧＰＲＳ）、ユニバーサルモバイル通信システム（ＵＭＴＳ）、高速パケットアクセス（ＨＳＰＡ）、進化ＨＳＰＡ（Ｅ−ＨＳＰＡ）、またはロングタームエボリューション（ＬＴＥ）ネットワークを含み、
前記無線通信ネットワークは、ＧＳＭエボリューションのためのＧＳＭ拡張データ（ＥＤＧＥ）無線アクセスネットワーク（ＧＥＲＡＮ）、ユニバーサル地上波無線アクセスネットワーク（ＵＴＲＡＮ）、または進化ＵＴＲＡＮ（Ｅ−ＵＴＲＡＮ）を介してユーザ装置（ＵＥ）にアクセス可能である、
装置。
【請求項１０】
デバイストリガーメッセージおよびトリガーペイロードの配信状態を示す方法であって、
公衆陸上モバイルネットワーク（ＰＬＭＮ）においてマシンタイプ通信（ＭＴＣ）に適合したユーザ装置（ＵＥ）から、メッセージを、前記デバイストリガーメッセージと前記トリガーペイロードの受信を示すために、ＭＴＣインターワーキング機能（ＭＴＣ−ＩＷＦ）から第１の参照ポイント上でトリガー通知を受信するように適合されたモバイル管理エンティティ（ＭＭＥ）またはサービング一般的パケット無線サービスサポートノード（ＳＧＳＮ）を含むノードに、送信するステップであり、前記トリガーペイロードは、前記ＭＴＣサーバから前記ＵＥへの下りリンク伝送において送信される第１のデータペイロードと、前記ＵＥから前記ＭＴＣサーバへの上りリンク伝送における第２のデータペイロードの伝送の原因となる情報とを含み、前記ＭＴＣ−ＩＷＦは、トリガー要求を第２の参照ポイント上で前記ＭＴＣサーバから受信するように適合され、前記トリガー要求は前記ＭＴＣサーバからの前記トリガーペイロードを含み、前記ＭＴＣ−ＩＷＦはさらに、前記ＭＴＣ−ＩＷＦが前記トリガー要求を処理することができないときトリガーＡｃｋ（acknowledgement)を前記ＭＴＣサーバに送信するように適合されている、送信ステップと、
前記ＵＥが、前記ＭＴＣサーバとの通信を開始するステップと、
を備える方法。
【請求項１１】
請求項１０に記載の方法であって、前記ＵＥは、前記ＰＬＭＮにおいて無線で通信する、方法。
【請求項１２】
請求項１０に記載の方法であって、前記ノードは第１のノードであり、前記ＰＬＭＮはさらに、
ホームロケーションレジスタ（ＨＬＲ）またはホーム加入者サーバ（ＨＳＳ）を含む第２のノードを含み、前記ＭＴＣ−ＩＷＦはさらに、前記トリガー要求の受信に応答して、前記トリガー通知をルーティングするためのルーティング情報を取得するために、第３の参照ポイント上で前記第２のノードと通信する、
方法。
【請求項１３】
請求項１０乃至１２のいずれか１項に記載の方法であって、前記ノードはさらに、前記トリガー通知の受信に応答して、前記トリガー要求を示すメッセージを前記ＵＥへ送信する、方法。
【請求項１４】
請求項１３に記載の方法であって、前記ノードはさらに、前記トリガー要求を示すために前記ＵＥへ送信された前記メッセージの成功または失敗を示すために、トリガー報告を前記ＭＴＣ−ＩＷＦに送信し、前記トリガー報告は、前記トリガー要求を受け入れるか否かを示す、方法。
【請求項１５】
請求項１４に記載の方法であって、
前記ＭＴＣ−ＩＷＦはさらに、前記トリガー報告を前記ＭＴＣサーバに転送し、
前記ＭＴＣサーバは、前記トリガー報告の受信に応答して、そのユーザプレーン接続上で前記トリガーペイロードを送信するためのユーザプレーン接続を確立する、
方法。
【請求項１６】
方法であって、
マシンタイプ通信インターワーキング機能（ＭＴＣ−ＩＷＦ）によって、第１の参照ポイント上で、無線通信ネットワークのマシンタイプ通信（ＭＴＣ）サーバからの、ユーザ装置（ＵＥ）から前記ＭＴＣサーバへの第１のデータペイロードの送信をトリガーするためのトリガー要求を受信するステップであり、前記ＵＥは、ＧＳＭエボリューションのためのＧＳＭ拡張データ（ＥＤＧＥ）無線アクセスネットワーク（ＧＥＲＡＮ）、ユニバーサル地上波無線アクセスネットワーク（ＵＴＲＡＮ）、または進化ＵＴＲＡＮ（Ｅ−ＵＴＲＡＮ）を介して前記無線通信ネットワークと無線で通信するように適合しており、前記第１のデータペイロードは、事前設定された閾値よりも小さい、受信ステップと、
前記ＭＴＣ−ＩＷＦが前記トリガー要求を処理することができるとき、且つ、前記トリガー要求に応答して、モビリティ管理エンティティ（ＭＭＥ）またはサービング一般的パケット無線サービスサポートノード（ＳＧＳＮ）を含むノードへの第２の参照ポイント上で、前記無線通信ネットワーク上での前記第１のデータペイロードの送信をトリガーするためのトリガー通知を送信するステップであり、前記トリガー通知は、前記ＭＴＣサーバから前記ＵＥへの下りリンク伝送のための第２のデータペイロードを含み、前記第２のデータペイロードは、前記事前設定された閾値よりも小さい、前記送信ステップと、
前記ＭＴＣ−ＩＷＦが前記トリガー要求を処理することができないとき、前記ＭＴＣ−ＩＷＦが前記トリガー要求を処理することができなかったことを示すトリガーＡｃｋ（acknowledgement）を前記MTCサーバに送信するステップと、
を備える方法。
【請求項１７】
請求項１６に記載の方法であって、前記ノードは第１のノードであり、当該方法はさらに、前記トリガー要求の受信に応答して、前記トリガー通知を前記ユーザ装置（ＵＥ）に送信するためのルーティング情報を取得するために、ホームロケーションレジスタ（ＨＬＲ）を含む第２のノードと、第３の参照ポイント上で通信するステップを備える、方法。
【請求項１８】
請求項１６に記載の方法であって、前記トリガー要求に応答して、前記トリガーＡｃｋを前記ＭＴＣサーバに送信するステップをさらに備える、方法。
【請求項１９】
請求項１６乃至１８のいずれか１項に記載の方法であって、トリガー報告を前記ノードから受信するステップであり、前記トリガー報告は、前記トリガー通知の成功または失敗を示し、また、前記トリガー要求のメッセージを受け入れるか否かを示す、受信ステップをさらに備える、方法。
【請求項２０】
請求項１９に記載の方法であって、前記トリガー報告を前記ＭＴＣサーバに転送するステップをさらに備える、方法。
【請求項２１】
装置であって、
命令を有する１以上のコンピュータ可読媒体と；
前記１以上のコンピュータ可読媒体と結合された１以上のプロセッサであり、
前記１以上のプロセッサは、
前記命令を実行して、無線通信ネットワークのモビリティ管理エンティティ（ＭＭＥ）またはサービング一般的パケット無線サービスサポートノード（ＳＧＳＮ）を含むノードを実装し、
ユーザ装置（ＵＥ）からマシンタイプ通信（ＭＴＣ）サーバへの前記無線通信ネットワーク上での第１のデータペイロードを含む上りリンク伝送の送信をトリガーするトリガー通知を受信し、前記第１のデータペイロードは、事前設定された閾値よりも小さく、前記ノードは前記ＭＴＣサーバからのトリガー要求の受信に応答してＭＴＣインターワーキング機能（ＭＴＣ−ＩＷＦ）から前記トリガー通知を受信し、前記ＭＴＣ−ＩＷＦは、前記ＭＴＣ−ＩＷＦが前記トリガー要求を処理することができないとき前記ＭＴＣサーバにトリガーＡｃｋ（acknowledgement）を送信するように適合されており、
前記トリガー通知の受信に応答して、前記トリガー通知を示すメッセージを前記ＵＥに送信し、前記メッセージは、前記ＭＴＣサーバから前記ＵＥへの下りリンク伝送のための第２のデータペイロードを含み、前記第２のデータペイロードは、前記事前設定された閾値よりも小さく、前記ＵＥは前記無線通信ネットワークと無線で通信するように適合され、前記無線通信ネットワークは、モバイル通信のためのグローバルシステム（ＧＳＭ）、一般的パケット無線サービス（ＧＰＲＳ）、ユニバーサルモバイル通信システム（ＵＭＴＳ）、高速パケットアクセス（ＨＳＰＡ）、進化ＨＳＰＡ（Ｅ−ＨＳＰＡ）、またはロングタームエボリューション（ＬＴＥ）ネットワークを含む、１以上のプロセッサと；
を備える装置。
【請求項２２】
請求項２１に記載の装置であって、前記トリガー通知を前記ＵＥに示す前記メッセージは、非アクセス階層（ＮＡＳ）メッセージである、装置。
【請求項２３】
請求項２１に記載の装置であって、
前記ノードはさらに、前記無線通信ネットワークの制御プレーン上で前記ＵＥから前記第１のデータペイロードを受信し、
前記ノードはさらに、前記トリガー通知の成功または失敗を示し、また、前記トリガー通知を示す前記メッセージを受け入れるか否かを示す、トリガー報告を送信し、
前記トリガー報告は、前記ＵＥから受信する前記第１のデータペイロードを含み、
前記トリガー通知は、前記無線通信ネットワークの制御プレーン上で前記ノードによって受信されるＧＰＲＳ（一般パケット無線サービス）トンネリングプロトコル（ＧＴＰ）メッセージ、または、ＭＴＣアプリケーションプロトコル（ＭＴＣ−ＡＰ）メッセージであり、
前記トリガー通知は、ＵＥＩＤ、有効期間、優先度、一般的データコンテナ、または、プライベート拡張を含み、
前記ＵＥは、ＧＳＭエボリューションのためのＧＳＭ拡張データ（ＥＤＧＥ）無線アクセスネットワーク（ＧＥＲＡＮ）、ユニバーサル地上波無線アクセスネットワーク（ＵＴＲＡＮ）、または進化ＵＴＲＡＮ（Ｅ−ＵＴＲＡＮ）を介して前記無線通信ネットワークと通信する、
装置。
【請求項２４】
命令を有する１以上のコンピュータ可読媒体と；
前記１以上のコンピュータ可読媒体と結合された１以上のプロセッサであり、
前記命令の実行は、公衆陸上モバイルネットワーク（ＰＬＭＮ）においてマシンタイプ通信（ＭＴＣ）に適合したユーザ装置（ＵＥ）に、デバイストリガーメッセージおよびトリガーペイロードの配信状態を示させ、
デバイストリガーメッセージおよびトリガーペイロードの配信状態を示させるようにする構成は、
前記デバイストリガーメッセージおよび前記トリガーペイロードの受信を示すメッセージを、モバイル管理エンティティ（ＭＭＥ）またはサービング一般的パケット無線サービスサポートノード（ＳＧＳＮ）を含むノードへの送信であり、ここで、前記トリガーペイロードは、サービス能力サーバ（ＳＣＳ）から前記ＵＥへの下りリンク伝送において送信される第１のデータペイロードと、前記ＵＥから前記ＳＣＳへの上りリンク伝送における第２のデータペイロードの伝送の原因となる情報とを含み、前記ノードは、第１の参照ポイント上でＭＴＣインターワーキング機能（ＭＴＣ−ＩＷＦ）からトリガー通知を受信するように適合されており、前記ＭＴＣ−ＩＷＦは、第２の参照ポイント上で前記ＳＣＳからトリガー要求を受信するように適合されており、前記トリガー要求は、前記ＳＣＳからの前記トリガーペイロードを含み、前記ＭＴＣ−ＩＷＦはさらに、前記ＭＴＣ−ＩＷＦが前記トリガー要求を処理することができないとき、トリガーＡｃｋ（acknowledgement）を送信するように適合されている、送信と；
前記デバイストリガーメッセージに応答して、前記ＳＣＳとの通信の開始と、によって構成される、１以上のプロセッサと、
を備える装置。
【請求項２５】
請求項２４に記載の装置であって、前記ＵＥは、前記ＰＬＭＮにおいて無線で通信する、装置。
【請求項２６】
請求項２４に記載の装置であって、前記１以上のプロセッサは、前記命令を実行することにより、前記ＵＥに、前記ノードから前記デバイストリガーメッセージおよび前記トリガーペイロードを受信するようにさせる、装置。
【請求項２７】
請求項２４に記載の装置であって、センサをさらに備え、前記デバイストリガーメッセージおよび前記トリガーペイロードの受信を示すメッセージの前記送信は、前記第２のデータペイロードにおいて前記センサによって収集された情報を含む、装置。
【請求項２８】
請求項２４に記載の装置であって、前記ＰＬＭＮは、ＧＳＭエボリューションのためのＧＳＭ拡張データ（ＥＤＧＥ）無線アクセスネットワーク（ＧＥＲＡＮ）、ユニバーサル地上波無線アクセスネットワーク（ＵＴＲＡＮ）、または進化ＵＴＲＡＮ（Ｅ−ＵＴＲＡＮ）を介して、前記ＵＥにアクセス可能である、装置。
【発明の詳細な説明】
【技術分野】
【０００１】
本開示の実施形態は、一般的に無線通信システムの分野に関連し、より具体的には、例えば、スモールデータペイロード（small  data  payload）を伝送するための技法および構成等の、無線通信ネットワークにおけるスモールデータ技法および構成に関する。
【背景技術】
【０００２】
ブロードバンドレートでの情報の転送を促進するモバイルネットワークが開発され展開され続けている。本明細書においてそのようなネットワークは口語的にブロードバンド無線アクセス（ＢＷＡ）ネットワークとして参照される。ブロードバンド無線技術において様々に異なるデバイスタイプが使用され得る。そのようなデバイスは、無線ブロードバンドネットワークを介して通信するように構成された、例えば、パーソナルコンピュータ、スマートフォン、ラップトップ、ネットブック、ウルトラブック、タブレット、ハンドヘルドデバイス、および、ミュージックプレイヤ、デジタルカメラ、等の他の家電機器を含み得る。
【発明の概要】
【発明が解決しようとする課題】
【０００３】
マシン・ツー・マシン（Ｍ２Ｍ）は、人間が介入することなく無線および有線システムが他のデバイスと通信することを可能にする技術を指している。Ｍ２Ｍは、情報を集めるためのセンサまたはメータを使用し得る。ここで、その情報はネットワーク（例、無線、有線、またはハイブリッド）を通してその情報を意味のあるデータに翻訳するアプリケーションへと中継され得る。世界中に広がるＢＷＡネットワークの拡大とそれに伴う増加するスピード／帯域幅、そして削減された無線通信電力はＭ２Ｍ通信の成長を促進してきた。Ｍ２Ｍデバイスによって送信されるデータの量は非常に小さいが、多数のこれらのデバイスは、組み合わされて、ネットワーク上の負荷を上げ得る。マシンタイプ通信（ＭＴＣ）データのようなスモールデータペイロードを伝送するための現在の技法は、非効率または、新興のＢＷＡネットワークと互換性がないことがあり得る。
【課題を解決するための手段】
【０００４】
実施形態は、添付図面と連携した以下の詳細な説明によって、容易に理解されるであろう。この説明を促進するために、同じ参照番号は同じ構成要素を指し示す。実施形態は、添付図面の図において、限定としてではなく、例示として示される。
【図面の簡単な説明】
【０００５】
【図１】ある実施形態に従った、例示のブロードバンド無線アクセス（ＢＷＡ）ネットワークの概略図である。
【図２】ある実施形態に従った、本明細書において説明されるスモールデータペイロード技法および構成を実行するように構成されたシステムアーキテクチャの概略図である。
【図３】ある実施形態に従った、スモールデータペイロードの送信のための例示のトリガー方式の概略図である。
【図４】ある実施形態に従った、無線通信システムのモジュール間の例示のインターフェイス方式の概略図である。
【図５】ある実施形態に従った、例示のＧＰＲＳ（Ｇｅｎｅｒａｌ  Ｐａｃｋｅｔ  Ｒａｄｉｏ  Ｓｅｒｖｉｃｅ）トンネリングプロトコル（ＧＴＰ）メッセージフォーマットの概略図である。
【図６】ある実施形態に従った、例示のＧＴＰヘッダフォーマットの概略図である。
【図７】ある実施形態に従った、例示の国際モバイル加入者ＩＤ（ＩＭＳＩ）情報要素の概略図である。
【図８】ある実施形態に従った、例示の有効期間情報要素の概略図である。
【図９】ある実施形態に従った、例示の一般的データコンテナの概略図である。
【図１０】ある実施形態に従った、例示の優先度情報要素の概略図である。
【図１１】ある実施形態に従った、無線通信システムのモジュール間の別の例示のインターフェイス方式の概略図である。
【図１２】ある実施形態に従った、例示のマシンタイプ通信アプリケーションプロトコル（ＭＴＣ−ＡＰ）メッセージフォーマットの概略図である。
【図１３】ある実施形態に従った、例示のＭＴＣ−ＡＰヘッダフォーマットの概略図である。
【図１４】ある実施形態に従った、無線通信ネットワークにおけるデータペイロードの伝送をトリガーするための方法のフロー図である。
【図１５】本明細書で説明される様々な実施形態を実施するために使用され得る例示のシステムの概略図である。
【発明を実施するための形態】
【０００６】
本開示の実施形態は、無線通信ネットワークにおけるスモールデータ技法と構成を提供する。そのスモールデータ技法と構成は、マシンタイプ通信（ＭＴＣ）データ等のスモールデータペイロードの伝送のトリガーのため、スモールデータ通信の監視のため、および、それらのシグナリングの改善のためのスモールデータ技法と構成を含む。以下の詳細な説明において添付図面が参照され、添付図面は本明細書の一部を形成し、明細書の全体を通して同じ参照番号は同じ部分を指す。例示のために示された実施形態において、本開示の主題が実施され得る。理解されるべきことは、他の実施形態が利用され得、本開示の範囲から逸脱することなく構造的または論理的変更が加えられ得るということである。従って、以下の詳細な説明は、限定する意味としてとらえられるべきではなく、実施形態の範囲は、添付の特許請求の範囲およびその均等物によって定義される。
【０００７】
さまざまな動作が、複数の個別の動作として順番に、特許請求の範囲の主題の理解を最も助けるように説明される。しなしながら、説明の順序は、これらの動作が必ずしも順序に依存することを示唆するものとして解釈されるべきではない。特に、これらの動作は提示された順序で実行されなくてもよい。説明された動作は、説明された実施形態とは異なる順序で実行され得る。さまざまな追加の動作が実行され得、そして／または、説明された動作は、追加の実施形態においては省略され得る。
【０００８】
本開示の目的のために、語句「Ａおよび／またはＢ」は、（Ａ）、（Ｂ）、または（ＡおよびＢ）を意味する。本開示の目的のために、語句「Ａ、Ｂ、および／またはＣ」は、（Ａ）、（Ｂ）、（Ｃ）、（ＡおよびＢ）、（ＡおよびＣ）、（ＢおよびＣ）、または（Ａ、ＢおよびＣ）を意味する。
【０００９】
説明は語句「一実施形態において」または「実施形態において」を使用し得、それぞれ、１以上の同じまたは異なる実施形態を指す。さらに、本開示の実施形態に関して使用される用語「備える（comprising）」、「含む（including）」、「有する（having）」等は、同義語である。
【００１０】
本明細書において使用されるように、用語「モジュール」は、説明された機能を提供する１以上のソフトウェアまたはファームウェアプログラム、組合せ論理回路、および／または他のふさわしいコンポーネントを実行する、アプリケーション固有の集積回路（ＡＳＩＣ）、電気回路、プロセッサ（共有、専用、またはグループ）および／または、メモリ（共有、専用、またはグループ）を、指し得、部分であり得、または、含み得る。
【００１１】
例示の実施形態は、第３世代パートナーシッププロジェクト（３ＧＰＰ）およびその派生、ＷｉＭＡＸフォーラム、電気電子工学のための機関（ＩＥＥＥ）８０２．１６標準（例、ＩＥＥＥ８０２．１６−２００５改正）、ロング・ターム・エボリューション（ＬＴＥ）プロジェクトおよびその改正、更新、および／または改版（例、アドバンストＬＴＥプロジェクト、ウルトラモバイルブロードバンド（ＵＭＢ）プロジェクト（「３ＧＰＰ２」とも称される）、等）によって規定される１以上のプロトコルに準拠して動作するネットワークを含むブロードバンド無線アクセス（ＢＷＡ）ネットワークに関連して説明され得る。ＩＥＥＥ８０２．１６準拠のＢＷＡネットワークは、一般にＷｉＭＡＸネットワークと称され、マイクロ波アクセスのための全世界相互運用（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）を意味する頭字語であり、ＩＥＥＥ８０２．１６標準の適合性および相互運用性試験に合格した製品であることを証明するマークである。たの実施形態において、本明細書において説明される通信方式は、追加の／代替の、通信標準、規格、および／または、プロトコルと互換性が有り得る。例えば、本開示の実施形態は、同様の利益が得られ得る他の種類の無線ネットワークに適用され得る。そのようなネットワークは、これらに限定されないが、無線ローカルエリアネットワーク（ＷＬＡＮ）、無線パーソナルエリアネットワーク（ＷＰＡＮ）および／または、セルラネットワーク等のような無線ワイドエリアネットワーク（ＷＷＡＮ）を含み得る。
【００１２】
以下の実施形態は、モバイル無線ラジオシステムの送信機および受信機を含むさまざまなアプリケーションにおいて使用され得る。実施形態の範囲内に具体的に含まれる無線システムは、これに限定されないが、ネットワークインターフェイスカード（ＮＩＣ）、ネットワークアダプタ、基地局、アクセスポイント（ＡＰ）、中継ノード、進化ノードＢ、ゲートウェア、ブリッジ、ハブ、および衛星無線電話、を含む。さらに、実施形態の範囲内の無線システムは、衛星システム、パーソナル通信システム（ＰＣＳ）、双方向無線システム、グローバル測位システム（ＧＰＳ）、双方向ページャ、パーソナルコンピュータ（ＰＣ）および関連周辺機器、パーソナルデジタルアシスタント（ＰＤＡ）、パーソナルコンピュータアクセサリおよび、実施形態の原理が適切に適用でき、事実上関係のある既存のおよび将来誕生するすべてのシステムを含み得る。
【００１３】
図１は、ある実施形態に従った、例示のブロードバンド無線アクセス（ＢＷＡ）ネットワーク１００の概略図である。ＢＷＡネットワーク１００は、１以上の無線アクセスネットワーク（以降「ＲＡＮ２０」）およびコアネットワーク２５を含み得る。
【００１４】
ユーザ装置（ＵＥ）１５は、ＲＡＮ２０における基地局４０、４２、等の１つ等の基地局（ＢＳ）との間の無線リンク（「リンク」）を介してコアネットワーク２５にアクセスし得る。ＵＥ１５は、例えば、１以上のプロトコルに準拠して基地局４０、４２と通信するように構成された加入者局であり得る。以下の説明は、議論を簡単にするために３ＧＰＰに準拠する例示のＢＷＡネットワーク１００のために提供される。しかしながら、本開示の主題はこの点において限定されるものではなく、説明された実施形態は、本明細書において説明される原理から利益を得られる他のネットワークに適用され得る。ある実施形態において、基地局４０、４２は、進化ノードＢ（ｅＮＢ）局を含み得、ＵＥ１５は他入力多出力（ＭＩＭＯ）通信方式を使用して通信するように構成される。ＵＥ１５の１以上のアンテナは、ＢＷＡネットワーク１００の複数のそれぞれのコンポーネントキャリア（例、ｅＮＢ局４０、４２のアンテナに見合う）の無線リソースを同時に活用するように使用され得る。ＵＥ１５は、ある実施形態において、例えば下りリンク通信において直交周波数分割多元接続（ＯＦＤＭＡ）を使用して通信し、および／または、例えば上りリンクにおいて単一キャリア周波数分割多元接続（ＳＣ−ＦＤＭＡ）を使用して通信するように構成され得る。
【００１５】
図１は一般にＵＥ１５がセルラ電話として描くが、さまざまな実施形態において、ＵＥ１５は、パーソナルコンピュータ（ＰＣ）、ノートブック、ウルトラブック、ネットブック、スマートフォン、ウルトラモバイルＰＣ（ＵＭＰＣ）、可搬型モバイルデバイス、汎用集積回路カード（ＵＩＣＣ）、パーソナルデジタルアシスタント（ＰＤＡ）、加入者宅内機器（ＣＰＥ）、タブレット、または、ＭＰ３プレーヤ、デジタルカメラ、等の他の家電製品であり得る。基地局４０、４２は、１以上のアンテナと、無線インターフェイス上で送信または受信された信号を変調および／または復調するための１以上の無線モジュールと、無線インターフェイス上で送信または受信された信号を処理するための１以上のデジタルモジュールと、を含み得る。
【００１６】
ある実施形態において、ＲＡＮ２０を介したＵＥ１５との通信は、１以上のノード４５を介して促進し得る。１以上のノード４５は、コアネットワーク２５とＲＡＮ２０との間のインターフェイスとして働き得る。さまざまな実施形態によれば、１以上のノード４５は、基地局４０、４２とコアネットワーク２５（例、１以上のサーバ５０）との間のシグナリング交換（例、ＵＥ１５の認証）を管理するように構成されたモバイル管理エンティティ（ＭＭＥ）（例、図２のＳＧＳＮ／ＭＭＥ５８）、インターネット６５へのゲートウェイルータを提供するためのパケットデータネットワークゲートウェイ（ＰＧＷ）（例、図２のＧＧＳＮ／ＰＧＷ５１）、および／または、ＲＡＮ２０の基地局４０、４２とＰＧＷとの間のユーザデータトンネルまたはパスを管理するためのサービングゲートウェイ（ＳＧＷ）を含み得る。他のタイプのノードが他の実施形態において使用され得る。
【００１７】
コアネットワーク２５は、ＵＥ１５のＢＷＡネットワーク１００との接続された状態を提供する通信リンクの確立に関連付けられた、ＵＥ１５の認証または他の動作を提供するロジック（例、モジュール）を含み得る。例えば、コアネットワーク２５は、基地局４０、４２と通信可能に結合され得る１以上のサーバを含み得る。一実施形態において、１以上のサーバ５０は、ホーム加入者サーバ（ＨＳＳ）（例、図２のＨＬＲ／ＨＳＳ）を含み得、該ＨＳＳは、ユーザの国際モバイル加入者ＩＤ（ＩＭＳＩ）、認証情報、等を管理するために使用され得る。コアネットワーク２５は、他のサーバ、インターフェイス、およびモジュールを含み得、そのいくつかは図２と関連してさらに説明される。１以上のサーバ５０は、ある実施形態において無線（over-the-air）（ＯＴＡ）サーバを含み得る。ある実施形態において、１以上のサーバ５０の異なる機能に関連するロジックは、例えば、単一のマシンまたはモジュール内で組み合されることも含め、サーバの数を減らすために組み合され得る。
【００１８】
さまざまな実施形態によれば、ＢＷＡネットワーク１００はインターネットプロトコル（ＩＰ）ベースのネットワークである。例えば、コアネットワーク２５は、ＩＰベースのネットワークであり得る。ネットワークノード（例、１以上のノード４５）間のインターフェイスは、ＩＰに基づき得、基地局４０、４２への帰路（backhaul）接続を含む。ある実施形態において、ＢＷＡネットワーク１００は、モバイル通信のためのグローバルシステム（ＧＳＭ）、ジェネラルパケット無線サービス（ＧＰＲＳ）、ユニバーサルモバイル通信システム（ＵＭＴＳ）、高速パケットアクセス（ＨＳＰＡ）、進化ＨＳＰＡ（Ｅ−ＨＳＰＡ）、またはロングタームイボリューション（ＬＴＥ）ネットワークを含む。ある実施形態において、ＲＡＮ２０は、ＧＳＭ・ＥＤＧＥ無線アクセスネットワーク（ＧＥＲＡＮ）（ここで、ＥＤＧＥは、ＧＳＭ進化のための拡張データを表す）、または、ユニバーサル地上波無線アクセスネットワーク（ＵＴＲＡＮ）、または、進化ＵＴＲＡＮ（Ｅ−ＵＴＲＡＮ）を含み得る。ＢＷＡネットワーク１００は、他の実施形態において、他のネットワーク技術に従って動作し得る。
【００１９】
図２は、ある実施形態に従った、本明細書において説明されるスモールデータペイロード技法および構成を実行するように構成されたシステムアーキテクチャ２００の概略図である。システムアーキテクチャ２００は、ＭＴＣ通信等のマシン・ツー・マシン（Ｍ２Ｍ）通信と共に使用することを意図したスモールデータ伝送を効率的に実行するように構成され得る。例えば、ＵＥ１５は、伝送するための小さい量の情報を集めるためのスマートメータまたはセンサ（例、温度、在庫、等についての情報を集めるように構成された健康監視デバイス、自動販売機、等）、を含み得、または、と通信可能に結合され得る。ある実施形態において、アプリケーションサーバ２６は、無線通信ネットワーク（例、図１のＢＷＡネットワーク）上のスモールデータペイロードの送信のトリガーをかけるようにＭＴＣサーバ５２に要求するように構成され得る。例えば、アプリケーションサーバ２６は、ＵＥ１５から、センサまたはメータ測定、在庫レベル、等のＭＴＣ情報を要求し得る。データペイロード（例、ＭＴＣデータペイロード）は、ある実施形態において、スモールデータペイロードを定義する事前設定された閾値よりも小さくてよい。ある実施形態において、事前設定された閾値は、加入者またはネットワークオペレータポリシーによって設定され得る。
【００２０】
さまざまな実施形態によれば、スモールデータペイロードは、ＲＡＮ２０およびコアネットワーク２５を介してＵＥ１５によって、ＭＴＣサーバ５２またはアプリケーションサーバ２６に送信され得るか、または、スモールデータペイロードは、コアネットワーク２５およびＲＡＮ２０を介して、アプリケーションサーバ２６またはＭＴＣサーバ５２によって、ＵＥ１５に送信され得る。例えば、アプリケーションサーバ２６は、スモールデータペイロードの送信を、ＵＥ１５に送信またはトリガーするように構成されることができる。アプリケーションサーバ２６は、例えばインターネット接続（例、図１のインターネット６５）を使用してコアネットワーク２５と通信可能に結合され得る。他の例において、ＵＥ１５と通信可能に結合されたＭＴＣアプリケーション２４は、スモールデータペイロードのアプリケーションサーバ２６への送信を送信またはトリガーするように構成され得る。ある実施形態において、ＵＥ１５は、スモールデータペイロードを送信または受信するように、および／または、ＭＴＣアプリケーション２４と通信するように構成されたＭＴＣデバイスである。ある実施形態において、ＵＥ１５は、ＵＥ１５の構造内にＭＴＣアプリケーション２４を含み得る。他の実施形態において、ＭＴＣアプリケーション２４は、ＵＥ１５と通信可能に結合され得る。
【００２１】
ＭＴＣサーバ５２は、ＭＴＣ通信のために構成されたＵＥ（例、ＵＥ１５）と通信するために、コアネットワーク２５と接続されるように構成され得る。ＭＴＣサーバ５２はさらに、スモールデータペイロードの伝送をトリガーするために、ＭＴＣ−ＩＷＦ５４等のインターワーキング機能（Interworking  Function）（ＩＷＦ）と通信するように構成され得る。ある実施形態において、ＭＴＣサーバ５２は、サービス能力サーバ（ＳＣＳ）と称される。
【００２２】
ＭＴＣ−ＩＷＦ５４は、ＭＴＣサーバ５２とＭＴＣ−ＩＷＦ５４との間のＴｓｐ参照ポイントまたはインターフェイス（以降「参照ポイント」）を終端し得る。ＭＴＣ−ＩＷＦ５４は、内部の公衆陸上モバイルネットワーク（ＰＬＭＮ）トポロジーを隠蔽し、Ｔｓｐ参照ポイント上で使用されるシグナリングプロトコルを中継または翻訳してＰＬＭＮにおける特定の機能を呼び出すように構成され得る。ある実施形態において、ＭＴＣ−ＩＷＦ５４は、コアネットワーク２５との通信が確立され、および／または、ＭＴＣサーバ５２からの制御プレーン要求が承認される前に、ＭＴＣサーバ５２を認証し得る。さまざまな実施形態によれば、モジュール間（例、５４、５８）の点線は制御プレーンを表し、モジュール間の実線はユーザプレーンを表す。特定のプレーンがモジュール間に示されているが、他の実施形態は追加の／代替のプレーンを含み得る。
【００２３】
一実施形態において、ＭＴＣ−ＩＷＦ５４は、モビリティ管理エンティティ（ＭＭＥ）を含むモジュール、および／または、ＳＧＳＮ／ＭＭＥ５８のようなサービングＧＰＲＳ（Ｇｅｎｅｒａｌ  Ｐａｃｋｅｔ  Ｒａｄｉｏ  Ｓｅｒｖｉｃｅ）サポートノード（ＳＧＳＮ）との間のＴ５ａ／Ｔ５ｂ参照ポイントを終端し得る。ある実施形態において、Ｔ５ａ参照ポイントは、ＳＧＳＮ／ＭＭＥ５８のＳＧＳＮ上で終端し得、Ｔ５ｂ参照ポイントは、ＳＧＳＮ／ＭＭＥ５８のＭＭＥ上で終端し得る。他の実施形態において、ＭＴＣ−ＩＷＦ５４は、ＨＬＲ／ＨＳＳ５６等のようなホームロケーションレジスタ（ＨＬＲ）および／またはホーム加入者サーバ（ＨＳＳ）を含むモジュールとの間のＳ６ｍ参照ポイントを終端し得る。Ｔ５ａ／Ｔ５ｂおよびＳ６ｍ参照ポイントは、例示で提供された名前に限定されることはなく、他の実施形態において、他の名前で参照され得る。
【００２４】
さまざまな実施形態によれば、Ｔ５ａ／Ｔ５ｂ参照ポイントは、ＭＴＣサーバ５２からの表示に基づいて、ネットワーク（例、３ＧＰＰ  ＰＬＭＮ）に制御パケット情報を送信するために使用され得る。Ｓ６ｍ参照ポイントは、ＭＴＣデバイス識別子またはＭＴＣアプリケーション識別子からネットワーク識別子（例、ＩＭＳＩまたは移動局国際加入者ディレクトリ番号（ＭＳＩＳＤＮ）等の３ＧＰＰ内部デバイス識別子）を取得することにより、下りリンクスモールデータペイロードのためのルーティング情報を導出するために使用され得る。ルーティング情報は、例えば、ＵＥのサービングコアネットワーク（ＣＮ）ノードの識別子であり得る。
【００２５】
システムアーキテクチャ２００はさらに、ＨＬＲ／ＨＳＳ５６とＳＧＳＮ／ＭＭＥ５８との間のＧｒ／Ｓ６ａ／Ｓ６ｄ参照ポイントと、ＭＴＣサーバ５２とＧＧＳＮ／ＰＧＷ５１との間の参照ポイントＴｉと、アプリケーションサーバ２６とＭＴＣサーバ５２との間の参照ポイントアプリケーションプログラミングインターフェイス（ＡＰＩ）と、ＳＧＳＮ／ＭＭＥ５８とＲＡＮ２０との間の参照ポイントＳ１と、ＲＡＮ２０とＵＥ１５との間の参照ポイントＵｍ／Ｕｕ／ＬＴＥ−ＵＵと、を含み得る。
【００２６】
システムアーキテクチャ２００は、シグナリングオーバーヘッド、ネットワークリソース、あるいは、再割当てのための遅延、等のネットワークへの影響を殆ど伴わずにスモールデータペイロードの伝送をサポートし得る。ある実施形態において、スモールデータペイロードの伝送前に（例、スモールデータペイロード伝送がトリガーされたとき）、ＵＥ１５は、アタッチされ得（例、確立された無線リソース制御（ＲＲＣ）接続によって）、または、ＲＡＮ２０からディタッチされ得る。ある実施形態において、スモールデータペイロード伝送がトリガーされるとき、ＵＥ１５は、接続モードまたはアイドルモードであり得る。ある実施形態において、ＵＥ１５がアイドルモードであるとき、システムアーキテクチャ２００は、優先的にＴ５ａ／Ｔ５ｂ参照ポイント上でスモールデータペイロードを送信するように構成され得る。システムアーキテクチャ２００は、他の実施形態において、他の参照ポイント上でスモールデータペイロードを送信するように構成され得る。
【００２７】
図３は、ある実施形態に従った、スモールデータペイロードの送信のための例示のトリガー方式３００の概略図である。図２および３を参照し、３０２において、ＭＴＣサーバ５２は、スモールデータペイロードの伝送をトリガーするためにトリガー配信要求（以降「トリガー要求」）をＭＴＣ−ＩＷＦ５４に送信し得る。ある実施形態において、スモールデータペイロードは、ＭＴＣサーバ５２からＵＥ１５への下りリンク伝送のためのトリガー要求の中に含まれ得るか、または、スモールデータペイロードはＵＥ１５にあり、トリガー要求が、ＵＥ１５からＭＴＣサーバ５２へのスモールデータペイロードの上りリンク伝送をトリガーし得る。ある実施例において、トリガー要求がＵＥ１５からＭＴＣサーバ５２へのスモールデータペイロードの伝送をトリガーする場合には、トリガー要求は、ＭＴＣサーバ５２からＵＥ１５への下りリンク配信のための別のスモールデータペイロードを含み得る。ある実施形態において、トリガー要求は、Ｔｓｐ参照ポイント上で送信され得る。トリガー要求は、トリガー内に、スモールデータペイロードの伝送のためのターゲットＵＥ（例、ＵＥ１５）を示すために、ＭＴＣデバイス識別（ＩＤ）および／またはＭＴＣアプリケーション（例、ＭＴＣアプリケーション２４）ＩＤを含み得る。ある実施形態において、アプリケーションサーバ２６は、スモールデータペイロードを直接ＭＴＣ−ＩＷＦ５４に送信し得る。ある実施形態において、３０２においてトリガー要求を送信するために、ＭＴＣ−ＩＷＦ５４とＭＴＣサーバ５２との間に安全な接続が確立され得る。
【００２８】
３０４において、ＭＴＣ−ＩＷＦ５４は、トリガーＡｃｋ（acknowledgement）をＭＴＣサーバ５２に送信し得る。トリガーＡｃｋは、３０２におけるトリガー要求に応答して送信され得る。ある実施形態において、ＭＴＣ−ＩＷＦ５４は、トリガーの配信に問題があるときにだけトリガーＡｃｋを送信するように構成し得る。例えば、ＭＴＣ−ＩＷＦ５４は、ＭＴＣ−ＩＷＦ５４がトリガー要求を処理できないときに（例、ＭＴＣ−ＩＷＦ過負荷）トリガーＡｃｋを送信するように構成し得る。
【００２９】
３０６において、３０２におけるトリガー要求の受信に応答して、ＭＴＣ−ＩＷＦ５４は、トリガー（例、トリガー通知）および／またはスモールデータペイロードをＵＥ１５にＴ５ａ／Ｔ５ｂ参照ポイント上で配信するためのルーティング情報を取得するために、ＨＬＲ／ＨＳＳ５６に問合せし得る。ある実施形態において、ＭＴＣ−ＩＷＦ５４はＭＴＣデバイスＩＤをＨＬＲ／ＨＳＳ５６に送信し得、ＨＬＲ／ＨＳＳ５６は、ＭＴＣデバイスＩＤをＭＴＣ加入（subscription）の一部として持っていてよい。ＨＬＲ／ＨＳＳ５６は、ＭＴＣデバイスＩＤをＵＥ１５のＩＭＳＩにマップし、ＳＧＳＮ／ＭＭＥ５８のためのアドレスとともにＩＭＳＩをＭＴＣ−ＩＷＦ５４に返信し得る。ある実施形態において、信頼関係がＭＴＣ−ＩＷＦ５４とＨＬＲ／ＨＳＳ５６との間に確立され得る（例、ＭＴＣ−ＩＷＦ５４が、コアネットワークのオペレータのドメインの外にあるとき）。３０６において、ＭＴＣ−ＩＷＦ５４からの問合せの受信に応答して、ＨＬＲ／ＨＳＳ５６は、ＭＴＣ−ＩＷＦ５４に、ＩＭＳＩサービングノードＩＤ、および／または、オペレータポリシー、承認情報、障害表示および理由値、等の他の情報を送信し得る。ある実施形態において、３０６において、問合せに応答してＨＬＲ／ＨＳＳ５６からＭＴＣ−ＩＷＦ５４に送信された情報に応答して、３０４においてトリガーＡｃｋが送信され得る。他の実施形態において、ルーティング情報はＭＴＣ−ＩＷＦ５４においてキャッシュされ得、または別の方法で格納され得、３０６における問合せは実行されなくてもよい。
【００３０】
３０８において、ＭＴＣ−ＩＷＦ５４は、トリガー通知をＳＧＳＮ／ＭＭＥ５８に送信し得る。ある実施形態において、トリガー通知は、３０２において送信されたトリガー要求に応答して、無線通信ネットワーク上の（例、Ｔ５ａ／Ｔ５ｂ参照ポイント上の）スモールデータペイロードの伝送のトリガーを示すために、送信され得る。トリガー通知は、Ｔ５ａ／Ｔ５ｂ参照ポイント上でＳＧＳＮ／ＭＭＥ５８に送信され得る。ある実施形態において、トリガー通知はスモールデータペイロードを含み得る。
【００３１】
３１０において、ＳＧＳＮ／ＭＭＥ５８は、トリガー通知（例、３０８で受信した）を示すためのメッセージをＵＥ１５に送信し得る。メッセージは、例えば、ＮＡＳペイロード内にトリガー要求（例、３０２、および／または、３０８において送信された）を含む非アクセス階層（Non-Access  Stratum）（ＮＡＳ）メッセージであり得る。３０２におけるトリガー要求および３０８におけるトリガー通知が、ＵＥ１５への下りリンクのためのスモールデータペイロードを含む実施形態においては、ＳＧＳＮ／ＭＭＥ５８は、上りリンク／下りリンク（ＵＬ／ＤＬ）ＮＡＳシグナリング（例、ＮＡＳトランスポートメッセージにおいて）を使用してスモールデータペイロードをＵＥ１５に送信し得る。３０２におけるトリガー要求および３０８におけるトリガー通知が、ＵＥ１５への下りリンクのためのスモールデータペイロードを含まない実施形態においては、ＵＥ１５からＭＴＣサーバ５２への上りリンクのためのスモールデータペイロードをＴ５ａ／Ｔ５ｂ参照ポイント上でＵＥ１５から受信し得る。ある実施形態においては、ＵＥ１５は、３１０において、スモールデータペイロードの伝送のためのトリガー要求を受信し得、トリガー要求に応答して、スモールデータペイロードを送信または受信するためにＭＴＣサーバ５２との接続を確立し得る（例、３１６において）。
【００３２】
３１２において、ＳＧＳＮ／ＭＭＥ５８は、トリガー通知の成功または失敗を示すために、トリガー報告をＭＴＣ−ＩＷＦ５４に送信し得る。例えば、ＳＧＳＮ／ＭＭＥ５８は、トリガー通知、および／または、スモールデータペイロードがＵＥ１５によって受信されたという表示を受信することにより、トリガー通知は成功したと決定し得る。ＳＧＳＮ／ＭＭＥ５８は、スモールデータペイロードがＵＥ１５によって受信されたという表示を受信しないこと、または、スモールデータペイロードがＵＥ１５によって受信されなかったという表示を受信することに基づいて、トリガー通知は失敗したと決定し得る。ある実施形態において、３１２において送信されるトリガー報告は、ＵＥ１５からＭＴＣサーバ５２への上りリンク伝送のためのスモールデータペイロードを含み得る。トリガー報告は、Ｔ５ａ／Ｔ５ｂ参照ポイント上で送信され得る。
【００３３】
３１４において、ＭＴＣ−ＩＷＦ５４は、トリガー報告をＭＴＣサーバ５２に転送または他の方法で送信し得る。ある実施形態において、トリガー報告は、Ｔｓｐ参照ポイント上で転送され得る。ＭＴＣサーバ５２は、例えば、トリガー報告をアプリケーションサーバ２６に送信し得る。ある実施形態において、３０２、３０４、３０６、３０８、３１０、および／または、３１２における動作は、無線通信ネットワークの制御プレーン上で実行され得る。
【００３４】
３１６において、ＵＥ１５からＭＴＣサーバ５２への、または、ＭＴＣサーバ５２からＵＥ１５への、スモールデータペイロードの伝送のために、ＵＥ１５とＭＴＣサーバ５２との間の接続が確立され得る。ある実施形態において、スモールデータペイロードは、パケットデータプロトコル（ＰＤＰ）コンテクスト、および／または、パケットデータネットワーク（ＰＤＮ）接続を使用して伝送され得る。ある実施形態において、もし、ＵＥ１５がＭＴＣサーバ５２に送信する上りリンクスモールデータペイロードを持つならば、ＵＥ１５は、ＰＤＰコンテクスト、および／または、ＰＤＰベアラを活性化し、ユーザプレーン上で（例、ＧＧＳＮ／ＰＧＷ５１を介して）上りリンクデータを送信し得る。ある実施形態において、３１０においてＵＥ１５によって受信されたトリガー通知に応答して、３１６において、接続が確立され得る。
【００３５】
図４は、ある実施形態に従った、無線通信システムのモジュール間の例示のインターフェイス方式４００の概略図である。インターフェイス方式４００においては、ＳＧＳＮ／ＭＭＥ５８およびＭＴＣ−ＩＷＦ５４のプロトコルスタックは、見ての通り、参照ポイントＴ５ａ／Ｔ５ｂ上で通信するように構成され得る。
【００３６】
ある実施形態においては、ＳＧＳＮ／ＭＭＥ５８およびＭＴＣ−ＩＷＦ５４は、見ての通り、Ｔ５ａ／Ｔ５ｂ参照ポイント上で通信するように構成されたレイヤ１（Ｌ１）、レイヤ２（Ｌ２）、インターネットプロトコル（ＩＰ）、ユーザデータグラムプロトコル（ＵＤＰ）、およびプロトコルヘッダを含むプロトコルスタックを有する。プロトコルヘッダは、メッセージがＴ５ａ／Ｔ５ｂ参照ポイント上で送信されるプロトコルを示し得る。
【００３７】
ある実施形態において、Ｔ５ａ／Ｔ５ｂ参照ポイント上で実行されることのできる本明細書において説明される通信は、インターフェイス方式４００に適合し得る。例えば、図３の３０８において送信されるトリガー通知、および／または、図３の３１２において送信されるトリガー報告は、ＧＰＲＳ（一般パケット無線サービス）トンネリングプロトコル（ＧＴＰ）または（制御シグナリングのためのＧＴＰ−Ｃ）プロトコル（例、図１１のプロトコルヘッダはＧＴＰ−Ｃメッセージを示す）に従って送信または受信されるメッセージであり得る。他の実施形態において、図３の３０８および３１２において送信または受信されるメッセージはＭＴＣアプリケーションプロトコル（ＭＴＣ−ＡＰ）に従い得る。本明細書において説明されるメッセージ（例、図３の３０８または３１２において送信される）は、これらのプロトコルに限定されず、他の実施形態において、他の適切なプロトコルに準拠し得る。例えば、ある実施形態において、メッセージは、Ｄｉａｍｅｔｅｒプロトコルまたはリモート認証ダイアルインユーザサービス（ＲＡＤＩＵＳ）プロトコルまたは他の適切なプロトコルに準拠し得る。
【００３８】
図５は、ある実施形態に従った、例示のＧＴＰメッセージ５００フォーマットの概略図である。ＧＴＰメッセージ５００は、ＧＴＰプロトコルに従ってＴ５ａ／Ｔ５ｂ参照ポイント上で送信されるメッセージ（例、図３の３０８および／または３１２において送信される）において使用され得る。
【００３９】
ある実施形態において、ＧＴＰメッセージ５００は、メッセージの機能を示すための１以上のビットを含み得る。例えば、一実施形態において、１からｍのオクテットは、ＧＴＰ−Ｃヘッダを示すために使用され得、ｍ＋１からｎのオクテットは、０個以上の情報要素（ＩＥ）を示すために使用され得る。ここで、ｍおよびｎは整数である。ＧＴＰメッセージ５００は、他の実施形態において、他の適切なフォーマットを持ち得る。
【００４０】
図６は、ある実施形態に従った、例示のＧＴＰヘッダ６００のフォーマット（例、ＧＴＰ−Ｃのための）の概略図である。ＧＴＰヘッダ６００は、ＧＴＰプロトコルに従ってＴ５ａ／Ｔ５ｂ参照ポイント上で送信されるメッセージ（例、図３の３０８および／または３１２において送信される）において使用され得る。
【００４１】
ある実施形態において、ＧＴＰヘッダ６００は、メッセージの機能を示す１以上のビットを含み得る。例えば、一実施形態において、ＧＴＰヘッダ６００は、見ての通り、バージョン、ピギーバッキングフラグ（Ｐ）、Ｔで表されるトンネルエンドポイント識別子（ＴＥＩＤ）フラグ（例、Ｔ＝０）、および／または、メッセージの予備の機能を示す第１オクテットの８ビットを含み得る。ある実施形態において、もしトンネルエンドポイント識別子（ＴＥＩＤ）が利用可能でないならば、ＴＥＩＤフィールドはＧＴＰヘッダ６００の中にあり、Ｔフラグ値は、トリガー通知および／またはトリガー報告のために「０」に設定され得る。
【００４２】
第２オクテットは、メッセージタイプを示し得る。ある実施形態において、メッセージタイプは、トリガー通知（例、図３の３０８において送信される）またはトリガー報告（例、図３の３１２において送信される）を示し得る。例えば、メッセージタイプは、トリガー通知を示すためのメッセージタイプ値（１０進）２４０、または、トリガー報告を示すためのメッセージタイプ値（１０進）２４１を持ち得る。さまざまな実施形態によれば、トリガー通知は、初期メッセージタイプであり、トリガー報告は被トリガーメッセージタイプである。
【００４３】
第２オクテットはメッセージ長（第１オクテット）を示し得る。第４オクテットはメッセージ長（第２オクテット）を示し得る。第５オクテットはシーケンス番号（第１オクテット）を示し得る。第６オクテットはシーケンス番号（第２オクテット）を示し得る。第７オクテットはシーケンス番号（第３オクテット）を示し得る。第８オクテットは予備の機能を示し得る。ＧＴＰヘッダは、他の実施形態において他の適切なフォーマットを持ち得る。
【００４４】
さまざまな実施形態によると、トリガー通知は１以上の情報要素を含み得る。一実施形態において、トリガー通知は、表１に従った情報要素を含み得る。表１は、一実施形態において、ＧＴＰプロトコルと連携して使用され得る情報要素を表し得る。
【００４５】
【表１】
0006046734.tif 000002
表１において、トリガー通知は、理由、ＵＥ・ＩＤ、有効期間、優先度、一般的データコンテナ、およびプライベート拡張を含み、それぞれについて、存在（Ｐ）、条件／コメント、情報要素タイプ、およびインスタンス（Ｉｎｓ．）が説明されている。存在Ｐのための値は、条件付きオプショナル（ＣＯ）、必須（Ｍ）、およびオプショナル（Ｏ）を含み得る。情報要素タイプの値は、見ての通り、理由、ＩＭＳＩ、有効期間、優先度、Ｆコンテナおよびプライベート拡張を含み得る。インスタンスの値は、見ての通り、０およびベンダー固有（ＶＳ）を含む。
【００４６】
さまざまな実施形態によれば、理由情報要素は、トリガーの理由を示し得る。例えば、トリガーの理由は、ＰＤＮ／ＰＤＰ接続を確立するため（例、図３の３１６において）、または、スモールデータペイロードを送信するためであり得る。ＵＥ・ＩＤ情報要素は、ＵＥのＩＭＳＩ／グループＩＤを示し得る。有効期間情報要素は、トリガーが格納されるべき期間を示し得る。優先度情報要素は、トリガーメッセージの優先度を示し得る。一般的データコンテナ情報要素は、トリガーを示し得、オプション的にデータを運び得る（例、スモールデータペイロード）。プライベート拡張情報要素は、Ｔ５ａ／Ｔ５ｂ参照ポイント上で送信され得る。トリガー通知は、他の実施形態において、より多い、またはより少ない、情報要素を含み得る。
【００４７】
図７は、ある実施形態に従った、例示の国際モバイル加入者ＩＤ（ＩＭＳＩ）情報要素（ＩＥ）７００の概略図である。ＩＭＳＩ情報要素７００は、ある実施形態におけるトリガー通知（例、図３の３０８において送信される）のＩＭＳＩ情報要素７００を表し得る。
【００４８】
さまざまな実施形態によれば、ＩＭＳＩ情報要素７００は、情報要素のタイプを示す第１オクテットのビットを含み得る（例、タイプ＝１（１０進））。ＩＭＳＩ情報要素７００はさらに、長さ＝ｎを示す第２、第３オクテットを含み得る。長さフィールドは、ある実施形態においてすべての情報要素について共通であり得る最初の４オクテットを除く、情報要素の長さを示し得る。ＩＭＳＩ情報要素７００はさらに、予備とインスタンスを示すための第４オクテットを含み得る。インスタンスは、同じ情報要素タイプを使用し得るある特定のメッセージにおいて、異なるパラメータを区別するためのフィールドであり得る。ＩＭＳＩ情報要素７００はさらに、有効期間を示すための第５オクテットを含み得る。ＩＭＳＩ情報要素７００はさらに、もし明示的に指定された場合には第６から第（ｎ＋４）オクテットを含み得る。ＩＭＳＩ情報要素７００は、他の実施形態において、描かれたよりも多いまたは少ない機能または代替の配置を含み得る。
【００４９】
図８は、ある実施形態に従った、例示の有効期間情報要素８００の概略図である。有効期間情報要素８００は、ある実施形態において、トリガー通知（例、図３の３０８において送信される）の有効期間情報要素８００を表し得る。
【００５０】
さまざまな実施形態によれば、有効期間情報要素８００は、タイプ（例、情報要素タイプ）を示すための第１オクテットのビットを含み得る。有効期間情報要素８００はさらに、長さ＝ｎを示すための第２から第３オクテットを含み得る。有効期間情報要素８００はさらに、予備とインスタンスを示すための第４オクテットを含み得る。有効期間情報要素８００はさらに、もし明示的に指定された場合には第５〜第（ｎ＋４）オクテットを含み得る。有効期間情報要素８００は、他の実施形態において、描かれたよりも多いまたは少ない機能または代替の配置を含み得る。
【００５１】
図９は、ある実施形態に従った、例示の一般的データコンテナ情報要素（ＩＥ）９００の概略図である。一般的データコンテナ情報要素９００は、ある実施形態において、トリガー通知（例、図３の３０８において送信される）の一般的データコンテナ情報要素９００を表し得る。
【００５２】
さまざまな実施形態によれば、一般的データコンテナ情報要素９００は、タイプを示す第１オクテットのビットを含み得る。一般的データコンテナ情報要素９００はさらに、長さ＝ｎを示すための第２から第３オクテットを含み得る。一般的データコンテナ情報要素９００はさらに、予備とインスタンスを示すための第４オクテットを含み得る。一般的データコンテナ情報要素９００はさらに、一般的データコンテナ（例、スモールデータペイロード）のための第５から第（ｎ＋４）オクテットを含み得る。一般的データコンテナ情報要素９００は、他の実施形態において、描かれたよりも多いまたは少ない機能または代替の配置を含み得る。
【００５３】
図１０は、ある実施形態に従った、例示の優先度情報要素（ＩＥ）１０００の概略図である。優先度情報要素１０００は、トリガー通知（例、図３の３０８において送信される）の優先度情報要素１０００を表し得る。
【００５４】
さまざまな実施形態において、優先度情報要素１０００は、タイプを示す第１オクテットを含み得る。優先度情報要素１０００はさらに、長さ＝ｎを示す第２から第３オクテットを含み得る。優先度情報要素１０００はさらに、予備とインスタンスを示すための第４オクテットを含み得る。優先度情報要素１０００はさらに、優先度を示すための第５から第（ｎ＋４）オクテットを含み得る。優先度情報要素１０００は、他の実施形態において、描かれたよりも多いまたは少ない機能または代替の配置を含み得る。
【００５５】
さまざまな実施形態によれば、トリガー報告（例、図３の３１２において送信される）は、１以上の情報要素を含み得る。一実施形態において、トリガー報告は、表２に従った情報要素を含み得る。表２は、一実施形態において、ＧＴＰプロトコルと連携して使用され得る情報要素を表し得る。
【００５６】
【表２】
0006046734.tif 000003
表２において、トリガー報告は、理由、ＵＥ・ＩＤ、一般的データコンテナ、およびプライベート拡張のための情報要素を含み、それぞれについて、存在（Ｐ）、条件／コメント、情報要素タイプ、およびインスタンス（Ｉｎｓ．）が説明されている。Ｐの値は、必須（Ｍ）、およびオプショナル（Ｏ）を含む。ＩＥタイプの値は、見ての通り、理由、ＩＭＳＩ、Ｆコンテナおよびプライベート拡張を含む。インスタンスの値は、見ての通り、０およびベンダー固有（ＶＳ）を含む。
【００５７】
さまざまな実施形態によれば、理由情報要素は、トリガー通知の成功および／または失敗を示し得る。ＵＥ・ＩＤ情報要素は、ＵＥのＩＭＳＩ／グループＩＤを示し得る。一般的データコンテナ情報要素は、トリガーを示し得、オプション的に、データを運び得る（例、スモールデータペイロード）。プライベート拡張情報要素は、Ｔ５ａ／Ｔ５ｂ参照ポイント上で送信され得る。トリガー報告の情報要素は、ある実施形態において、特に断りのある場合を除き、トリガー通知と連携して説明された実施形態と適合し得る。トリガー報告は、他の実施形態においてより多くのまたはより少ない情報要素を含み得る。図５−１０と連携して説明される特徴は、さまざまな実施形態に従ったＧＴＰ−Ｃに従った例を提供し得る。
【００５８】
さまざまな実施形態によれば、トリガー報告またはトリガー通知の理由情報要素は、表３に従った値を含み得る。表３は、一実施形態におけるＧＴＰプロトコルに従った理由値を表し得る。表３において、要求／初期メッセージタイプ（例、トリガー通知）を有するメッセージは、見ての通り、０から１４、１５の理由値（１０進）を含み得る。理由値は、ＰＤＮ／ＰＤＰ接続の確立を示す理由値１２、および、スモールデータペイロードの伝送を示す理由値１３を含む。さらに、表３において、応答／被トリガー・メッセージ（例、トリガー報告）におけるアクセプタンスを有するメッセージは、見ての通り、１６から、２１から６３までの理由値（１０進）を含み得る。理由値は、トリガー通知の成功または失敗の報告を示すための理由値２０を含む。
【００５９】
【表３】
0006046734.tif 000004
図１１は、ある実施形態に従った、無線通信システムのモジュール間の別の例示のインターフェイス方式１１００の概略図である。インターフェイス方式１１００において、ＭＴＣ−ＩＷＦ５４とＭＴＣサーバ５２のプロトコルスタックは、示される通り、参照ポイントＴｓｐ上で通信するように構成される。
【００６０】
ある実施形態において、ＭＴＣ−ＩＷＦ５４とＭＴＣサーバ５２は、見ての通り、Ｌ１、Ｌ２、ＩＰ、ＵＤＰおよび／または伝送制御プロトコル（ＵＤＰ／ＴＣＰ）、および、Ｔｓｐ参照ポイント上で通信するように構成されたプロトコルヘッダを含むプロトコルスタックを有する。プロトコルヘッダは、Ｔｓｐ参照ポイント上で送信されるメッセージのプロトコルを示し得る。
【００６１】
ある実施形態において、本明細書において説明される、Ｔｓｐ参照ポイント上で実行されることのできる通信は、インターフェイス方式１１００に適合し得る。例えば、図３の３０２において送信されるトリガー要求、図３の３０４において送信されるトリガーＡｃｋ、そして図３の３１４において送信されるトリガー報告は、ＭＴＣ−ＡＰプロトコルに従って送信または受信されるメッセージであり得る。プロトコルヘッダは、ＭＴＣ−ＡＰを示し得る。ＭＴＣ−ＡＰは、例えば、ハイパーテキスト転送プロトコル（ＨＴＴＰ）、セッション開始プロトコル（ＳＩＰ）、および／または、ネイティブプロトコルを使用して通信するように構成され得る。本明細書において説明されるメッセージ（例、図３の３０２、３０４、および３１４において送信される）は、他の実施形態において、他の適切なプロトコルと適合し得る。ある実施形態において、ＭＴＣ−ＩＷＦ５４は、メッセージを送信または受信するために使用されるプロトコルに従ったトランスレータ、リレー、またはプロキシとして機能するように構成され得る。
【００６２】
図１２は、ある実施形態に従った、例示のＭＴＣ−ＡＰメッセージ１２００フォーマットの概略図である。ＭＴＣ−ＡＰメッセージ１２００は、ＭＴＣ−ＡＰプロトコルに従ってＴ５ａ／Ｔ５ｂおよびＴｓｐ参照ポイント上で送信されるメッセージ（例、図３の３０２、３０４、３０８、３１２および／または３１４において送信される）において使用され得る。
【００６３】
ある実施形態において、ＭＴＣ−ＡＰメッセージ１２００は、メッセージの機能を示す１以上のビットを含み得る。例えば、一実施形態において、１からｍオクテットはＭＴＣ−ＡＰヘッダを示すために使用され、ｍ＋１からｎオクテットは、０個以上の情報要素を示すために使用され得る。ここで、ｍおよびｎは整数である。ＭＴＣ−ＡＰメッセージ１２００は、他の実施形態において他の適切なフォーマットを持ち得る。ＭＴＣ−ＡＰメッセージ１２００にともなって含まれる情報要素は、ＭＴＣ−ＡＰメッセージタイプに依存し得、当該ＭＴＣ−ＡＰメッセージタイプはＭＴＣ−ＡＰヘッダ内に含まれ得る（例、図１３のＭＴＣ−ＡＰヘッダ１３００）。
【００６４】
図１３は、ある実施形態に従った、例示のＭＴＣ−ＡＰヘッダ１３００フォーマットの概略図である。ＭＴＣ−ＡＰヘッダ１３００は、ＭＴＣ−ＡＰプロトコルに従ってＴ５ａ／Ｔ５ｂおよび／またはＴｓｐ参照ポイント上で送信されるメッセージにおいて使用され得る。
【００６５】
ある実施形態において、ＭＴＣ−ＡＰヘッダ１３００は、メッセージの機能を示すための１以上のビット含み得る。例えば、一実施形態において、ＭＴＣ−ＡＰヘッダ１３００は、見ての通り、バージョン（例、プロトコルバージョン）および／またはメッセージの予備の機能を示すための第１オクテットの８ビットを含み得る。
【００６６】
第２オクテットはメッセージタイプを示し得る。ある実施形態において、メッセージタイプは、トリガー通知（例、図３の３０８において送信）またはトリガー報告（例、図３の３１２おいて送信）を持ち得る。例えば、メッセージタイプは、トリガー通知を示すためにメッセージタイプ値２４０（１０進）を持ち得、トリガー報告を示すためにメッセージタイプ値２４１（１０進）を持ち得る。さまざまな実施形態によれば、トリガー通知は、初期メッセージタイプ、トリガー報告は被トリガーメッセージタイプである。
【００６７】
第３オクテットは、メッセージ長（第１オクテット）を示し得る。第４オクテットは、メッセージ長（第２オクテット）を示し得る。第５オクテットは、シーケンス番号（第１オクテット）を示し得る。第６オクテットはシーケンス番号（第２オクテット）を示し得る。第７オクテットはシーケンス番号（第３オクテット）を示し得る。第８オクテットは、予備の機能を示し得る。ＭＴＣ−ＡＰヘッダ１３００は、他の実施形態において他の適切なフォーマットを持ち得る。
【００６８】
トリガー通知およびトリガー報告は、図１２のＭＴＣ−ＡＰメッセージ１２００と図１３のＭＴＣ−ＡＰヘッダ１３００に従って、Ｔ５ａ／Ｔ５ｂ参照ポイント上で送信され得る。スモールデータペイロード等のデータは、ＭＴＣ−ＡＰプロトコルに従って、トリガー報告の、および／または、トリガー通知の、一般的データコンテナ内に含まれるようにすることができる。ＭＴＣ−ＡＰプロトコルに従ったトリガー通知は、表１および図７−１０と関連して説明された情報要素を含み得る。ＭＴＣ−ＡＰプロトコルに従ったトリガー報告は、表２および図７、９と関連して説明されえた情報要素を含み得る。
【００６９】
さまざまな実施形態によれば、ＭＴＣ−ＡＰプロトコルに従ってＴｓｐ参照ポイント上で送信されるトリガー要求（例、図３の３０２において送信される）は、表４において説明される情報要素を含み得る。
【００７０】
【表４】
0006046734.tif 000005
表４において、情報要素は、図８−１０と関連して説明される実施形態と適合し得る。外部識別子情報要素は、モバイルネットワークオペレータ（ＭＮＯ）ドメイン名およびローカル識別子を使用した外部識別子を示し得る。
【００７１】
さまざまな実施形態によれば、ＭＴＣ−ＡＰプロトコルに従ってＴｓｐ参照ポイント上で送信されるトリガーＡｃｋ（例、図３の３０４において送信される）は、表５において説明されるような情報要素を含み得る。
【００７２】
【表５】
0006046734.tif 000006
表５において、情報要素は、トリガー通知の成功および／または失敗を示す理由情報要素、ネットワークが過負荷になっており、トリガーを再送信しようとする前にバックオフ（事前設定された時間の間待機する）する必要があり得ることをＭＴＣサーバに示すバックオフタイマ、および、Ｔｓｐインターフェイス上で送信され得るプライベート拡張、を含み得る。
【００７３】
さまざまな実施形態によれば、ＭＴＣ−ＡＰプロトコルに従ってＴｓｐ参照ポイント上で送信されるトリガー報告（例、図３の３１４において送信される）は、表６において説明される情報要素を含み得る。
【００７４】
【表６】
0006046734.tif 000007
図１４は、ある実施形態に従った、無線通信ネットワーク（例、図１のＢＷＡネットワーク１００）におけるデータペイロードの伝送をトリガーするための方法４００のフロー図である。方法１４００の動作は、図２−３のＭＴＣ−ＩＷＦまたは無線通信ネットワークの他のモジュールによって実行され得、図１−１３に関連して説明される技法および構成に適合し得る。
【００７５】
１４０２において、方法１４００は、マシンタイプ通信（ＭＴＣ）サーバから、無線通信ネットワーク上でデータペイロードを送信することをトリガーするためのトリガー要求を受信することを含む。ある実施形態においては、トリガー要求は、第１のデータペイロードをＭＴＣサーバからターゲットＵＥに送信すること、または、第２のデータペイロードをＵＥからＭＴＣサーバに送信すること、または、第１のデータペイロードをＭＴＣサーバからターゲットＵＥに送信すること、および、第２のデータペイロードをＵＥからＭＴＣサーバに送信することの両方、をトリガーし得る。
【００７６】
１４０４において、方法１４００はさらに、ＭＴＣサーバにトリガーＡｃｋを送信すること（図３の３０４において）を含み得る。トリガーＡｃｋは、トリガー要求の受信に応答して送信し得る。
【００７７】
１４０６において、方法１４００はさらに、トリガー通知をユーザ装置（ＵＥ）に送信するためのルーティング情報を取得するためにホームロケーションレジスタ（ＨＬＲ）（例、図３のＨＬＲ／ＨＳＳ５６）を含むモジュールと通信すること（例、図３の３０６において）を含む。ＨＬＲとの通信は、トリガー要求の受信に応答して行われ得る。
【００７８】
１４０８において、方法１４００は、モビリティ管理エンティティ（ＭＭＥ）および／またはサービングＧＰＲＳ（一般的パケット無線サービス）サポートノード（ＳＧＳＮ）（例、図３のＳＧＳＮ／ＭＭＥ５８）を含むモジュールへ、トリガー要求の受信に応答して無線通信ネットワーク上でデータペイロードの送信をトリガーするためのトリガー通知を送信することを含み得る。トリガー通知は、無線通信ネットワーク上での第１のデータペイロード、および／または、第２のデータペイロードの送信をトリガーし得る。トリガー通知は、トリガー要求に応答して送信され得る。
【００７９】
１４１０において、方法１４００はさらに、ＭＭＥおよび／またはＳＧＳＮを含むモジュールから、トリガー通知の成功または失敗を示すトリガー報告を受信すること（例、図３の３１２において）を含み得る。トリガー報告は、トリガー通知に応答して送信され得る。１４１２において、方法１４００はさらに、トリガー報告をＭＴＣサーバに転送すること（例、図３の３１４において）を含み得る。
【００８０】
所望の図１５が、本明細書で説明される様々な実施形態を実施するために使用され得る例示のシステムの概略を示しているように、本開示の実施形態は、構成するいかなる適切なハードウェアおよび／またはソフトウエアを使用して一システムに実装され得る。図１５は、一実施形態のために、１以上のプロセッサ１５０４を備える例示のシステム１５００、少なくとも１つのプロセッサ１５０４に結合されたシステム制御モジュール１５０８、システム制御モジュール１５０８に結合されたシステムメモリ１５１２、システム制御モジュール１５０８に結合された不揮発性メモリ（ＮＶＭ）／記憶装置１５１６、およびシステム制御モジュール１５０８に結合された１以上の通信インターフェイス１５２０を説明している。
【００８１】
ある実施形態において、システム１５００は、本明細書において説明されているようなＵＥ１５として機能できるようになり得る。他の実施形態において、システム１５００は、図１の１以上のサーバ５０として機能できるようになり得るか、さもなければ、基地局４０、１以上のノード、ＭＴＣサーバ５２、ＭＴＣ−ＩＷＦ５４、ＨＬＲ／ＨＳＳ５６、ＳＧＳＮ／ＭＭＥ５８、ＲＡＮ２０、ＧＧＳＮ／ＰＧＷ５１、および／または、本明細書で説明される他のモジュールのために説明された機能を実行するロジック／モジュールを提供し得る。ある実施形態において、システム１５００は、命令を有する１以上のコンピュータ読取可能媒体（例、システムメモリまたはＮＶＭ／記憶装置１５１６）および１以上のコンピュータ読取可能媒体に結合され、本明細書において説明された動作を実行するためのモジュール（例、インターワーキング機能）を実装するために命令を実行するように構成された１以上のプロセッサ（例、プロセッサ１５０４）を含み得る。
【００８２】
一実施形態のためのシステム制御モジュール１５０８は、少なくとも１つのプロセッサ１５０４への、および／または、システム制御モジュール１５０８と通信するいかなる適切なデバイスまたはコンポーネントへの、いかなる適切なインターフェイルを提供するためのいかなる適切なインターフェイスコントローラを含み得る。
【００８３】
システム制御モジュール１５０８は、システムメモリ１５１２へのインターフェイスを提供するためのメモリコントローラモジュール１５１０を含み得る。メモリコントローラモジュール１５１０は、ハードウェアモジュール、ソフトウェアモジュール、および／または、ファームウェアモジュールであり得る。
【００８４】
システムメモリ１５１２は、例えばシステム１５００のためのデータ、および／または、命令をロードおよび格納するために使用され得る。一実施形態のためのシステムメモリ１５１２は、例えば適切なＤＲＡＭ等のいかなる適切な揮発性メモリを含み得る。ある実施形態において、システムメモリ１５１２は、ダブルデータレートタイプ４シンクロナスダイナミックランダムアクセスメモリ（ＤＤＲ４ＳＤＲＡＭ）を含み得る。
【００８５】
一実施形態のためのシステム制御モジュール１５０８はＮＶＭ／記憶装置１５１６へのインターフェイスおよび通信インターフェイス１５２０を提供する１以上の入力／出力（Ｉ／Ｏ）コントローラを含み得る。
【００８６】
ＮＶＭ／記憶装置１５１６は、例えば、データおよび／または命令を格納するために使用され得る。ＮＶＭ／記憶装置１５１６は、フラッシュメモリ等のいかなる適切な不揮発性メモリを含み得、および／または、１以上のハードディスクドライブ（ＨＤＤ）、１以上のコンパクトディスク（ＣＤ）ドライブ、および／または、１以上のデジタル多目的ディスク（ＤＶＤ）ドライブ等、いかなる適切な不揮発性記憶装置を含み得る。
【００８７】
ＮＶＭ／記憶装置１５１６は、その上にシステム１５００が実装されているデバイスの物理的一部である、または必ずしもデバイスの一部ではないがデバイスによってアクセスされ得る、記憶リソースを含み得る。例えば、ＮＶＭ／記憶装置１５１６は、通信インターフェイス１５２０を介してネットワーク上でアクセスされ得る。
【００８８】
通信インターフェイス１５２０は、システム１５００が１以上のネットワーク上で通信するための、および／または、いかなる他の適切なデバイスと通信するための、インターフェイスを提供し得る。システム１５００は、１以上の無線ネットワーク標準および／またはプロトコルのいずれかに従って、無線ネットワークの１以上のコンポーネントとワイヤレスで通信し得る。
【００８９】
一実施形態のために、プロセッサ１５０４の少なくとも１つは、メモリコントローラモジュール１５１０等のシステム制御モジュール１５０８の１以上のコントローラのためのロジックと一緒にパッケージされ得る。一実施形態のために、プロセッサ１５０４の少なくとも１つは、システム・イン・パッケージ（ＳｉＰ）を形成するためにシステム制御モジュール１５０８の１以上のコントローラのためのロジックと一緒にパッケージされ得る。一実施形態のために、プロセッサ１５０４の少なくとも１つは、システム制御モジュール１５０８の１以上のコントローラのためのロジックと同じダイ上で集積され得る。一実施形態のために、プロセッサ１５０４の少なくとも１つは、システム・オン・チップ（ＳｏＣ）を形成するために、システム制御モジュール１５０８の１以上のコントローラのためのロジックと同じダイ上で集積され得る。
【００９０】
さまざまな実施形態において、システム１５００は、これらに限定されないが、サーバ、ワークステーション、デスクトップコンピューティングデバイス、またはモバイルコンピューティングデバイス（例、ラップトップコンピューティングデバイス、ハンドヘルドコンピューティングデバイス、タブレット、ノートブック、等）であり得る。さまざまな実施形態において、システム１５００は、より多くのまたはより少ないコンポーネント、そして／または、異なるアーキテクチャを持ち得る。例えば、ある実施形態において、システム１５００は、カメラ、キーボード、液晶ディスプレイ（ＬＣＤ）スクリーン（タッチスクリーンディスプレイを含む）、不揮発性メモリポート、複数アンテナ、グラフィックチップ、アプリケーション固有集積回路（ＡＳＩＣ）、およびスピーカの１以上を含む。
【００９１】
さまざまな実施形態によれば、本開示で説明される装置は、命令を有する１以上のコンピュータ可読媒体と、１以上のコンピュータ可読媒体と結合され、命令を実行してインターワーキング機能（ＩＷＦ）を実装し、マシンタイプ通信（ＭＴＣ）サーバから、無線通信ネットワーク上でデータペイロードの送信をトリガーするトリガー要求を受信し、該データペイロードは事前設定された閾値よりも小さく、該トリガー要求に応答して、参照ポイント上でモビリティ管理エンティティ（ＭＭＥ）またはサービングＧＰＲＳ（一般的パケット無線サービス）サポートノード（ＳＧＳＮ）を含むモジュールに、無線通信ネットワーク上でのデータペイロードの送信をトリガーするトリガー通知を送信するように構成された１以上のプロセッサと、を含む。ある実施形態において、データペイロードは、ユーザ装置（ＵＥ）からＭＴＣサーバへの上りリンク伝送のための第１のデータペイロードであり、該ＵＥは、無線通信ネットワークとワイヤレスに通信するように構成されている。ある実施形態において、トリガー通知は、ＭＴＣサーバからＵＥへの下りリンク伝送のための第２のデータペイロードを含み、第２のデータペイロードは、事前設定された閾値よりも小さい。ある実施形態において、モジュールは第１のモジュールであり、参照ポイントは第１の参照ポイントであり、ＩＷＦはさらに、トリガー要求の受信に応答して、ホームロケーションレジスタ（ＨＬＲ）またはホーム加入者サーバ（ＨＳＳ）を含む第２のモジュールと第２の参照ポイント上で通信して、第１の参照ポイント上でトリガー通知をユーザ装置（ＵＥ）に送信するためのルーティング情報を取得するように構成されている。
【００９２】
ある実施形態において、参照ポイントは、ＩＷＦで終端する第１の参照ポイントであり、ＩＷＦは、マシンタイプ通信インターワーキング機能（ＭＴＣ−ＩＷＦ）を含み、該ＭＴＣ−ＩＷＦは、ＭＴＣサーバからＭＴＣ−ＩＷＦへの第２の参照ポイントを終端するように構成されている。ある実施形態において、ＭＴＣ−ＩＷＦは、第２の参照ポイント上でトリガー要求を受信するように構成されている。
【００９３】
ある実施形態において、ＩＷＦはさらに、ＩＷＦがトリガー要求を処理できないときに、トリガーＡｃｋをＭＴＣサーバに送信するように構成されている。ある実施形態において、ＩＷＦはさらに、ＭＭＥまたはＳＧＳＮを含むモジュールから、トリガー通知の成功または失敗を示すトリガー報告を受信し、トリガー報告をＭＴＣサーバに転送するように構成されている。ある実施形態において、トリガー報告はデータペイロードを含む。ある実施形態において、トリガー通知は、ＧＰＲＳ（一般的パケット無線サービス）トンネリングプロトコル（ＧＴＰ）メッセージまたはＭＴＣアプリケーションプロトコル（ＭＴＣ−ＡＰ）メッセージである。ある実施形態において、トリガー要求はＭＴＣ−ＡＰメッセージである。
【００９４】
ある実施形態において、トリガー通知は、理由、ユーザ装置（ＵＥ）ＩＤ、有効期間、優先度、一般的データコンテナ、またはプライベート拡張を提供する１以上の情報要素を含む。ある実施形態において、無線通信ネットワークは、モバイル通信のためのグローバルシステム（ＧＳＭ）、一般的パケット無線サービス（ＧＰＲＳ）、ユニバーサルモバイル通信システム（ＵＭＴＳ）、高速パケットアクセス（ＨＳＰＡ）、進化ＨＳＰＡ（Ｅ−ＨＳＰＡ）、またはロングタームエボリューション（ＬＴＥ）ネットワークである。ある実施形態において、無線通信ネットワークは、ＧＳＭエボリューションのためのＧＳＭ拡張データ（ＥＤＧＥ）無線アクセスネットワーク（ＧＥＲＡＮ）、ユニバーサル地上波無線アクセスネットワーク（ＵＴＲＡＮ）、または進化ＵＴＲＡＮ（Ｅ−ＵＴＲＡＮ）を介してユーザ装置（ＵＥ）にアクセス可能である。
【００９５】
さまざまな実施形態によれば、本開示はシステムを説明する。該システムは、無線通信ネットワーク上でデータペイロードの送信をトリガーするためのトリガー要求を送信するように構成されたマシンタイプ通信（ＭＴＣ）サーバと、第１の参照ポイント上でＭＴＣサーバからトリガー要求を受信し、トリガー要求に応答して第２の参照ポイント上で、無線通信ネットワーク上でデータペイロードの送信をトリガーするためのトリガー通知を送信するように構成されたインターワーキング機能（ＩＷＦ）と、モビリティ管理エンティティ（ＭＭＥ）またはサービングＧＰＲＳ（一般的パケット無線サービス）サポートノード（ＳＧＳＮ）を含み、トリガー通知をＩＷＦから受信するように構成されたモジュールと、を含む。ある実施形態において、データペイロードは、ユーザ装置（ＵＥ）からＭＴＣサーバへの上りリンク伝送のための第１のデータペイロードであり、該ＵＥは無線通信ネットワークとワイヤレスに通信するように構成され、該データペイロードは、事前設定された閾値より小さく、また、トリガー通知はＭＴＣサーバからＵＥへの下りリンク伝送のための第２のデータペイロードを含み、該第２のデータペイロードは事前設定された閾値よりも小さい。
【００９６】
ある実施形態において、モジュールは第１のモジュールであり、システムはさらに、ホームロケーションレジスタ（ＨＬＲ）またはホーム加入者サーバ（ＨＳＳ）を含む第２のモジュールを含み、ＩＷＦはさらに、トリガー要求の受信に応答して、トリガー通知をルーティングするてめのルーティング情報を取得するために、第２のモジュールと第３の参照ポイント上で通信するように構成されている。ある実施形態において、ＩＷＦはさらに、ＩＷＦがトリガー要求を処理できないとき、ＭＴＣサーバにトリガーＡｃｋを送信するように構成されている。ある実施形態において、モジュールはさらに、トリガー通知の受信に応答して、無線通信ネットワークとワイヤレスに通信するように構成されたユーザ装置（ＵＥ）に、トリガー要求を示すメッセージを送信するように構成されている。ある実施形態において、モジュールはさらに、トリガー要求を示すためにＵＥに送信されたメッセージの成功または失敗を示すために、トリガー報告をＩＷＦに送信するように構成されている。ある実施形態において、ＩＷＦはさらに、トリガー報告をＭＴＣサーバに転送するように構成され、ＭＴＣサーバは、トリガー報告の受信に応答して、ユーザプレーン接続上でデータペイロードを送信するためのＵＥとのユーザプレーン接続を確立するように構成されている。
【００９７】
さまざまな実施形態によれば、本開示は方法を説明する。該方法は、第１の参照ポイント上で、無線通信ネットワークのマシンタイプ通信（ＭＴＣ）サーバから、ＭＴＣサーバからユーザ装置（ＵＥ）への第１のデータペイロードの送信、または、ＵＥからＭＴＣサーバへの第２のデータペイロードの送信、または、ＭＴＣサーバからＵＥへの第１のデータペイロードの送信とＵＥからＭＴＣサーバへの第２のデータペイロードの送信の両方、をトリガーするトリガー要求を受信するステップを含む。ある実施形態において、ＵＥは、
ＧＳＭエボリューションのためのＧＳＭ拡張データ（ＥＤＧＥ）無線アクセスネットワーク（ＧＥＲＡＮ）、ユニバーサル地上波無線アクセスネットワーク（ＵＴＲＡＮ）、または進化ＵＴＲＡＮ（Ｅ−ＵＴＲＡＮ）を介して無線通信ネットワークとワイヤレスに通信するように構成されている。ある実施形態において、第１のデータペイロードと第２のデータペイロードは、事前設定された閾値よりも小さい。ある実施形態において、当該方法はさらに、トリガー要求に応答して、第２の参照ポイント上でモビリティ管理エンティティ（ＭＭＥ）またはサービングＧＰＲＳ（一般的パケット無線サービス）サポートノード（ＳＧＳＮ）を含むモジュールへ、無線通信ネットワーク上での第１のデータペイロード、および／または、第２のデータペイロードの送信をトリガーするためのトリガー通知を送信するステップを含む。
【００９８】
ある実施形態において、モジュールは第１のモジュールであり、当該方法はさらに、トリガー要求の受信に応答して、トリガー通知をユーザ装置（ＵＥ）に送信するためのルーティング情報を取得するために、ホームロケーションレジスタ（ＨＬＲ）またはホーム加入者サーバ（ＨＳＳ）を含む第２のモジュールと第３の参照ポイント上で通信するステップを含む。ある実施形態において、当該方法はさらに、トリガー要求の受信に応答して、トリガーＡｃｋをＭＴＣサーバに送信するステップを含む。ある実施形態において、当該方法はさらに、トリガー報告をモジュールから受信するステップを含み、トリガー報告は、トリガー通知の成功または失敗を示す。ある実施形態において、当該方法はさらに、トリガー報告をＭＴＣサーバに転送するステップを含む。
【００９９】
さまざま実施形態によれば、本開示は、装置を説明する。該装置は、命令を有する１以上のコンピュータ可読媒体と、１以上のコンピュータ可読媒体と結合され、命令を実行して、無線通信ネットワークのモビリティ管理エンティティ（ＭＭＥ）またはサービングＧＰＲＳ（一般的パケット無線サービス）サポートノード（ＳＧＳＮ）を含む第１のモジュールを実装し、ユーザ装置（ＵＥ）からマシンタイプ通信（ＭＴＣ）サーバへの無線通信ネットワーク上でのデータペイロードの送信をトリガーするためのトリガー通知を受信するように構成された１以上のプロセッサと、を含む。ある実施形態において、データペイロードは、事前設定された閾値よりも小さい。ある実施形態において、１以上のプロセッサは、命令を実行して、トリガー通知の受信に応答して、トリガー通知を示すメッセージをＵＥに送信するように構成され、ＵＥは、無線通信ネットワークとワイヤレスに通信するように構成されている。ある実施形態において、無線通信ネットワークは、モバイル通信のためのグローバルシステム（ＧＳＭ）、一般的パケット無線サービス（ＧＰＲＳ）、ユニバーサルモバイル通信システム（ＵＭＴＳ）、高速パケットアクセス（ＨＳＰＡ）、進化ＨＳＰＡ（Ｅ−ＨＳＰＡ）、またはロングタームエボリューション（ＬＴＥ）ネットワークである。
【０１００】
ある実施形態において、トリガー通知をＵＥに示すメッセージは、非アクセス階層（ＮＡＳ）メッセージである。ある実施形態において、モジュールはさらに、無線通信システムの制御プレーン上でＵＥからデータペイロードを受信するように構成されている。ある実施形態において、モジュールはさらに、トリガー通知の成功または失敗を示すトリガー報告を送信するように構成されている。ある実施形態において、トリガー報告は、ＵＥから受信したデータペイロードを含む。ある実施形態において、トリガー通知は、無線通信ネットワークの制御プレーン上でモジュールによって受信された、ＧＰＲＳ（一般的パケット無線サービス）トンネリングプロトコル（ＧＴＰ）メッセージまたはＭＴＣアプリケーションプロトコル（ＭＴＣ−ＡＰ）メッセージである。ある実施形態において、トリガー通知は、理由、ユーザ装置（ＵＥ）ＩＤ、有効期間、優先度、一般的データコンテナ、またはプライベート拡張を提供する１以上の情報要素を含む。ある実施形態において、ＵＥは、ＧＳＭエボリューションのためのＧＳＭ拡張データ（ＥＤＧＥ）無線アクセスネットワーク（ＧＥＲＡＮ）、ユニバーサル地上波無線アクセスネットワーク（ＵＴＲＡＮ）、または進化ＵＴＲＡＮ（Ｅ−ＵＴＲＡＮ）を介して無線通信ネットワークと通信するように構成されている。
【０１０１】
本明細書において、説明の目的のために、一定の実施形態が示され説明されてきたが、同じ目的を達成するために計算された多種多様な代替の、そして／または、均等の実施形態または実装が、本開示の範囲から逸脱することなく、示され説明された実施形態を置き換え得る。本出願は、本明細書で議論された実施形態のいかなる適用またはバリエーションもカバーすることを意図している。従って、本明細書において説明された実施形態は特許請求の範囲とその均等物によってのみ限定されることを意図していることは明白である。
【０１０２】
本出願は、２０１１年１１月４日に出願された米国仮特許出願番号６１／５５６，１０９の優先権を主張し、すべての目的のために、その明細書全体が参照により本明細書に取り込まれる。
【図１】
0006046734.tif 000008
【図２】
0006046734.tif 000009
【図３】
0006046734.tif 000010
【図４】
0006046734.tif 000011
【図５】
0006046734.tif 000012
【図６】
0006046734.tif 000013
【図７】
0006046734.tif 000014
【図８】
0006046734.tif 000015
【図９】
0006046734.tif 000016
【図１０】
0006046734.tif 000017
【図１１】
0006046734.tif 000018
【図１２】
0006046734.tif 000019
【図１３】
0006046734.tif 000020
【図１４】
0006046734.tif 000021
【図１５】
0006046734.tif 000022